(57)【要約】【課題】足場板でスレート板の踏み抜きを防止して施工時や事前調査時の安全性を確保しながら、足場板の風による吹き上げ、コスト高、施工性の悪さを低減することができる屋根改修用金具を提供する。【解決手段】既存屋根１の波状スレート板２の上方に新規屋根材３を付設して屋根を改修するために、波状スレート板２の上面に配設される屋根改修用金具Ａに関する。波状スレート板２の凸条の上側に配置される載置部５と、載置部５の波状スレート板２の凸条の長手方向と平行となる両側端から下方に突出して波状スレート板２の凹溝に配置される脚部７と、波状スレート板２の凸条の長手方向と直交する端部から突出させ、波状スレート板２に載置された足場板８を連結するための連結片９とを備える。波状スレート板２の上面に配設した後、その連結片９に足場板８を連結することができる。【選択図】図１
2008127760.tif 000002
【特許請求の範囲】
【請求項１】
既存屋根の波状スレート板の上方に新規屋根材を付設して屋根を改修するために、波状スレート板の上面に配設される屋根改修用金具であって、波状スレート板の凸条の上側に配置される載置部と、載置部の波状スレート板の凸条の長手方向と平行となる両側端から下方に突出して波状スレート板の凹溝に配置される脚部と、載置部の波状スレート板の凸条の長手方向と直交する端部から突出させ、波状スレート板に載置された足場板を連結するための連結片とを備えて成ることを特徴とする屋根改修用金具。
【請求項２】
請求項１に記載の屋根改修用金具を用いた既存屋根の改修構造であって、屋根改修用金具の載置部を波状スレート板の凸条の上側に配置すると共に屋根改修用金具の脚部を上記凸条の両側の凹溝に配置することによって、複数の屋根改修用金具を波状スレート板の上面に配設し、波状スレート板に足場板を載置すると共にこの足場板を屋根改修用金具の連結片に連結し、複数の母屋材を屋根改修用金具の載置部に載設して波状スレート板の上方に架設し、母屋材に新規屋根材を葺設して成ることを特徴とする既存屋根の改修構造。
【請求項３】
請求項１に記載の屋根改修用金具を用いた既存屋根の改修方法であって、屋根改修用金具の載置部を波状スレート板の凸条の上側に配置すると共に屋根改修用金具の脚部を上記凸条の両側の凹溝に配置することによって、複数の屋根改修用金具を波状スレート板の上面に配設し、波状スレート板に足場板を載置すると共にこの足場板を屋根改修用金具の連結片に連結し、この足場板に作業者が乗りながら複数の母屋材を屋根改修用金具の載置部に載設して波状スレート板の上方に架設すると共に母屋材に新規屋根材を葺設することを特徴とする既存屋根の改修方法。
【請求項４】
足場板に作業者が乗りながら、その足場板よりも水上側の屋根改修用金具と足場板とを施工することを特徴とする請求項３に記載の既存屋根の改修方法。
【発明の詳細な説明】
【技術分野】
【０００１】
本発明は、波状スレート板を用いた既存屋根をリフォームする際に用いられる屋根改修用金具及びこれを用いた既存屋根の改修構造並びに既存屋根の改修方法に関するものである。
【背景技術】
【０００２】
従来より、工場や倉庫などに使用されている老朽化したスレート屋根の改修方法として、０．４〜０．６ｍｍ程度のロール成形された鋼板（塗装鋼板やガルバリウムめっき鋼板など）を既存のスレート板を剥がさずにカバーする改修工法が産業廃棄物の処理問題対策や操業を止めずに改修施工ができる等の特徴から主流になっている。中でも、最近のアスベスト公害等の問題から、既存のスレート板にドリルやビスで穴をあけずに施工可能ないわゆる間接固定工法が徐々に増加する傾向にあり、本出願人によってもこの改修方法が提案されている（例えば、特許文献１参照）。
【０００３】
老朽化したスレート屋根の工事を行う際、スレート板には長年の汚れが表面に積もっているために、そのひび割れや強度低下を発見するのは難しく、施工や事前調査の際に、老朽化したスレート板が割れて工具や破片が落下したり、場合によっては、施工者がスレート板を踏み抜いて落下し、死に至るケースもあった。
【０００４】
そこで、施工の際には安全ネットをスレート屋根の全面に敷き込んだり、木製あるいはアルミニウム製の足場板を敷設したりして安全性の向上を図っているが、施工性や機能性には問題があった。また、母屋間に足場板を全面に敷いたりスライドさせたりする等の工法も最近開発されてはいるが、事前調査時の安全性の確保やコスト高、施工性等に問題が多く、施工中とは言うものの、ビス等でスレート板を貫通することができないため、風による足場板の吹き上げに対する強度に不安があった。
【０００５】
特に、強度の弱い小波スレート板を屋根に使用している場合も多々見受けられるが、この場合、大波スレート板と比べて踏み抜き等の危険性は高まるため、問題は大きい。
【特許文献１】特許第３８０９１００号公報
【発明の開示】
【発明が解決しようとする課題】
【０００６】
本発明は上記の点に鑑みてなされたものであり、足場板でスレート板の踏み抜きを防止して施工時や事前調査時の安全性を確保しながら、足場板の風による吹き上げ、コスト高、施工性の悪さを低減することができる屋根改修用金具、既存屋根の改修構造、既存屋根の改修方法を提供することを目的とするものである。
【課題を解決するための手段】
【０００７】
本発明の請求項１に係る屋根改修用金具Ａは、既存屋根１の波状スレート板２の上方に新規屋根材３を付設して屋根を改修するために、波状スレート板２の上面に配設される屋根改修用金具Ａであって、波状スレート板２の凸条４の上側に配置される載置部５と、載置部５の波状スレート板２の凸条４の長手方向と平行となる両側端から下方に突出して波状スレート板２の凹溝６に配置される脚部７と、載置部５の波状スレート板２の凸条４の長手方向と直交する端部から突出させ、波状スレート板２に載置された足場板８を連結するための連結片９とを備えて成ることを特徴とするものである。
【０００８】
本発明の請求項２に係る既存屋根の改修構造は、請求項１に記載の屋根改修用金具Ａを用いた既存屋根１の改修構造であって、屋根改修用金具Ａの載置部５を波状スレート板２の凸条４の上側に配置すると共に屋根改修用金具Ａの脚部７を上記凸条４の両側の凹溝６に配置することによって、複数の屋根改修用金具Ａを波状スレート板２の上面に配設し、波状スレート板２に足場板８を載置すると共にこの足場板８を屋根改修用金具Ａの連結片９に連結し、複数の母屋材１０を屋根改修用金具Ａの載置部５に載設して波状スレート板２の上方に架設し、母屋材１０に新規屋根材３を葺設して成ることを特徴とするものである。
【０００９】
本発明の請求項３に係る既存屋根の改修方法は、請求項１に記載の屋根改修用金具Ａを用いた既存屋根１の改修方法であって、屋根改修用金具Ａの載置部５を波状スレート板２の凸条４の上側に配置すると共に屋根改修用金具Ａの脚部７を上記凸条４の両側の凹溝６に配置することによって、複数の屋根改修用金具Ａを波状スレート板２の上面に配設し、波状スレート板２に足場板８を載置すると共にこの足場板８を屋根改修用金具Ａの連結片９に連結し、この足場板８に作業者が乗りながら複数の母屋材１０を屋根改修用金具Ａの載置部５に載設して波状スレート板２の上方に架設すると共に母屋材１０に新規屋根材３を葺設することを特徴とするものである。
【００１０】
本発明の請求項４に係る既存屋根の改修方法は、請求項３において、足場板８に作業者が乗りながら、その足場板８よりも水上側の屋根改修用金具Ａと足場板８とを施工することを特徴とするものである。
【発明の効果】
【００１１】
本発明の請求項１の屋根改修用金具Ａは、波状スレート板２の上面に配設した後、その連結片９に足場板８を連結することによって、足場板８で波状スレート板２の踏み抜きを防止することができ、施工時や事前調査時の安全性を確保しながら、足場板８の風による吹き上げを防止することができ、しかも、母屋間に足場板を全面に敷いたりスライドさせたりする等の工法に比べて、コスト高、施工性の悪さを低減することができるものである。
【００１２】
本発明の請求項２の既存屋根の改修構造は、屋根改修用金具Ａの連結片９に足場板８を連結することによって、足場板８で波状スレート板２の踏み抜きを防止することができ、施工時や事前調査時の安全性を確保しながら、足場板８の風による吹き上げを防止することができ、しかも、母屋間に足場板を全面に敷いたりスライドさせたりする等の工法に比べて、コスト高、施工性の悪さを低減することができるものである。
【００１３】
本発明の請求項３の既存屋根の改修方法は、屋根改修用金具Ａの連結片９に足場板８を連結することによって、足場板８で波状スレート板２の踏み抜きを防止することができ、施工時や事前調査時の安全性を確保しながら、足場板８の風による吹き上げを防止することができ、しかも、母屋間に足場板を全面に敷いたりスライドさせたりする等の工法に比べて、コスト高、施工性の悪さを低減することができるものである。
【発明を実施するための最良の形態】
【００１４】
以下、本発明を実施するための最良の形態を説明する。
【００１５】
本発明の既存屋根１の改修構造は、波状スレート板２を葺設した既存屋根１の上を新規屋根材３で全面にわたって被覆して形成されるものである。波状スレート板２は凸条４と凹溝６とが交互に繰り返し連続する断面形状を有するものであって、凸条４と凹溝６の高さの差が３５〜４０ｍｍ程度で隣り合う凸条４、４の間隔が１２０〜１４０ｍｍ程度の大波スレート板や、凸条４と凹溝６の高さの差が１５〜３０ｍｍ程度で隣り合う凸条４、４の間隔が６０〜１００ｍｍ程度の小波スレート板があるが、本発明はいずれの波状スレート板２を用いた既存屋根１でも適用することができ、特に、大波スレート板よりも強度の小さい小波スレート板を用いた既存屋根１に好適に使用することができる。
【００１６】
本発明の既存屋根１の改修構造は、屋根改修用金具Ａ、母屋材１０、新規屋根材３、足場板８を用いて形成することができる。
【００１７】
屋根改修用金具Ａは、ステンレス鋼板などの金属板を曲げ加工やプレス加工などした金具であって、図１（ａ）（ｂ）（ｃ）に示すように、載置部５、脚部７、連結片９などを備えて形成されている。屋根改修用金具Ａの上部は平面視で略矩形の載置部５として形成されており、載置部５の上面の略中央部には横方向に長い溝部２０が形成されている。脚部７は屋根改修用金具Ａの両側端（波状スレート板２の凸条４の長手方向と平行となる側端）に一つずつ設けられており、各脚部７、７は載置部５の側端から略垂直下方に突出するように延設されている。また、脚部７の下端部は折り曲げ加工により断面略円弧状の設置部２１が形成されている。載置部５の水上側（波状スレート板２の凸条４の長手方向と直交する端部であって、屋根改修用金具Ａを既存屋根１に配設する際に屋根勾配の上側に向く方）の端部には突出片２２が略垂直下方に突出するように延設されており、突出片２２の下端には載置部５側と反対側（外側）に突出する連結片９が突出片２２に対して略垂直に設けられている。
【００１８】
上記の載置部５に設けた溝部２０の底部の略中央部にはボルト挿通孔２３が形成されている。このボルト挿通孔２３は溝部２０の長手方向（横方向）と略平行方向に長い長孔として形成されている。また、ボルト挿通孔２３の長手方向の両側において溝部２０の底部にはカシメ孔２４、２４が設けられている。このカシメ孔２４も溝部２０の長手方向と略平行方向に長い長孔として形成されている。また、溝部２０には係止具２５が設けられている。係止具２５は、矩形金属板の略中央部にボルト差し込み孔３６を設けると共にボルト差し込み孔３６の縁部に一対の対向する係止片２７を切り起こしにより突設することによって形成されるものである。そして、係止具２５の両端部を貫通するように鳩目鋲２６、２６を装着すると共に各鳩目鋲２６、２６を溝部２０のカシメ孔２４、２４に差し込み、カシメ孔２４の下側において鳩目鋲２６を潰してかしめることにより、係止具２５は溝部２０の底部の上面に取り付けられている。鳩目鋲２６はカシメ孔２４の長手方向に沿って移動可能に差し込まれており、これにより、係止具２５は溝部２０の長手方向に沿ってスライド移動自在に形成されている。
【００１９】
母屋材１０としては形鋼などの長尺な金属材を用いることができ、例えば、断面略ハット型に形成することができる。断面略ハット型の母屋材１０は下面が開口する断面略コ字状の支持部１０ａと、支持部１０ａの両下端から外側に向けて突設する支え片１０ｂ、１０ｂとから構成されている。
【００２０】
新規屋根材３は公知の屋根材であれば何でも用いることができるが、例えば、山部３０と谷部３１とが交互に連続して繰り返す断面形状を有する金属折板を用いることができる。
【００２１】
足場板８は従来から足場板として用いられている板状のものであれば、何でも用いることができ、例えば、塗装鋼板やアルミニウム板や木板などを使用することができ、特に、金属製の半裁角波成形品は強度やサイズの点で好ましい。この足場板８としては、例えば、働き幅が約２５０〜５００ｍｍ、板厚が約０．３５〜０．６ｍｍであることが好ましい。
【００２２】
そして、本発明の既存屋根１の改修方法は以下のようにして行う。
【００２３】
まず、上記の屋根改修用金具Ａを既存屋根１の最も水下側（既存屋根１の屋根勾配における最も下側で、通常は軒側）の上面に配設する。この場合、図２に示すように、既存屋根１の上面には波状スレート板２を建物の母屋等の構造材に固定しているボルト２８の先端が突出しているので、これを利用して屋根改修用金具Ａを取り付ける。すなわち、波状スレート板２の凸条４を貫通するようにして突出しているボルト２８に上側から屋根改修用金具Ａを近づけ、溝部２０のボルト挿通孔２３に下側からボルト２８を差し込むと共にこのボルト２８の先端を係止具２５のボルト差し込み孔３６にも下側から差し込み、さらに、このボルト２８の先端を係止具２５の一対の係止片２７、２７の間にも下側から挿通する。そして、屋根改修用金具Ａの脚部７の下端の設置部２１が凹溝６に達するまで屋根改修用金具Ａを波状スレート板２側に押し下げていく。このようにして図３に示すように、屋根改修用金具Ａをボルト２８に取り付けることができ、係止片２７、２７の先端がボルト２８の外周のネジ山に係止することにより、屋根改修用金具Ａがボルト２８から抜けないように固定することができる。また、図４（ａ）（ｂ）に示すように、屋根改修用金具Ａは凸条４を跨ぐようにして配設する。すなわち、載置部５及び連結片９が凸条４の上側に位置し、その凸条４の両側の凹溝６、６に脚部７、７がそれぞれ位置するようにする。また、連結片９は水上側（既存屋根１の屋根勾配における上側で、通常は棟側）の方に向けて配置する。
【００２４】
上記のようにして複数の屋根改修用金具Ａ、Ａ…を既存屋根１の最も水下側の上に略一列に並べて配置した後、これらの屋根改修用金具Ａ、Ａ…の連結片９、９…に足場板８を連結して取り付ける。すなわち、既存屋根１に取り付けた屋根改修用金具Ａ、Ａ…の水上側に足場板８を配置し、足場板８の水下側の端部を連結片９に長さ１０〜１５ｍｍのスクリュービスなどの固定具で固定して連結する。ここで、足場板８が矩形状である場合は屋根勾配と直交する方向（建物の母屋の長手方向と直交する方向であって、桁行き方向）と足場板８の長手方向とを一致させるようにする。また、複数の足場板８、８…を屋根勾配と直交する方向に並べて用いても良い。また、一枚の足場板８は、一つの複数の屋根改修用金具Ａの連結片９に連結して固定しても良いし、複数の屋根改修用金具Ａ、Ａ…の連結片９、９…に連結して固定しても良い。
【００２５】
上記のようにして足場板８を既存屋根１の波状スレート板２の上に敷設した後、その足場板８よりも水上側において屋根勾配と直交する方向に並んでいるボルト２８、すなわち、最も水下側に並んでいる上記ボルト２８から数えて二列目に屋根勾配と直交する方向に並んでいるボルト２８、２８…にさらに屋根改修用金具Ａ、Ａ…を取り付ける。この二回目の屋根改修用金具Ａの取り付け方は上記と同様である。次に、この二回目に取り付けた屋根改修用金具Ａ、Ａ…の連結片９、９…に足場板８を連結して敷設する。この二回目の足場板８の連結片９への連結方法や敷設方法は上記と同様である。
【００２６】
このようにして屋根改修用金具Ａの配設と足場板８の敷設とを交互に繰り返しながら、図５に示すように、水下側から水上側に向かって順次施工する。ここで、最も水下側に配置する一回目の屋根改修用金具Ａと足場板８は既存屋根１の波状スレート板２の上に乗らずに施工するが、二回目以降の屋根改修用金具Ａと足場板８の配設作業は、図６に示すように、それ以前に施工した足場板８の上に乗って行うことができる。従って、作業者が波状スレート板２に直接乗らなくなって波状スレート板２の踏み抜きを防止することができ、安全性を確保することができる。
【００２７】
次に、図７、８に示すように、既存屋根１に配設した屋根改修用金具Ａ、Ａ…の上に母屋材１０を架け渡すように載せて波状スレート板２の上方に複数の母屋材１０、１０…を架設する。このとき、母屋材１０の支え片１０ｂを屋根改修用金具Ａの載置部５の上に載せ、スクリュービスなどの固定具で支え片１０ｂと載置部５とを連結し、屋根改修用金具Ａに母屋材１０を固定する。また、母屋材１０の支持部１０ａの内側（下側）に、溝部２０よりも上側に突出するボルト２８の先端を位置させるようにする。また、母屋材１０はその長手方向が既存屋根１の屋根勾配と直交する方向と略平行となるように配置する。そして、母屋材１０の施工においても、上記のように敷設した足場板８の上に乗って行うことができるため、作業者が波状スレート板２に直接乗らなくなって波状スレート板２の踏み抜きを防止することができ、安全性を確保することができる。
【００２８】
次に、図７、８に示すように、既存屋根１に配設した複数の母屋材１０、１０…の支持部１０ａの上に新規屋根材３を架け渡すように載せて波状スレート板２の上方に複数の新規屋根材３、３…を架設する。このとき、新規屋根材３はその山部３０及び谷部３１の長手方向が既存屋根１の屋根勾配の方向と略平行となるように配設する。また、新規屋根材３は支持部１０ａにボルトなどの固定具で固定する。このようにして波状スレート板２の上方に新規屋根材３を付設して既存屋根１の全体を新規屋根材３で被覆することによって、既存屋根１の改修を行うことができる。そして、新規屋根材３の施工においても、上記のように敷設した足場板８の上に乗って行うことができるため、作業者が波状スレート板２に直接乗らなくなって波状スレート板２の踏み抜きを防止することができ、安全性を確保することができる。
【００２９】
上記のような本発明の改修構造では、図９、１０に示すように、足場板８は新規屋根材３の施工後も敷設された状態のまま（いわゆる敷き殺し）であるため、足場板８の撤去作業を無くすことができ、また、足場板をスライド移動する方式のものに比べて煩雑な作業を少なくすることができ、施工に係る手間を軽減して施工性の悪さやコスト高を低減することができる。また、上記では、全て足場板８を施工した後に母屋材１０や新規屋根材３を施工するようにしているが、これに限らず、順次施工を進めていくに従って、その時点で施工に必要な足場板８のみを敷設し、不要になった足場板８を次の施工に必要な箇所に順送りして行くことも可能である。また、屋根改修用金具Ａは全てのボルト２８に取り付ける必要はなく、足場板８の取り付け強度などを考慮して必要なボルト２８のみに屋根改修用金具Ａを取り付ければよい。例えば、母屋材１０や新規屋根材３を施工する前に、波状スレート板２の状態を事前に調査するために足場を確保する場合では、屋根改修用金具Ａ、Ａの設置間隔を大きくし、足場板８を連結片９に仮止めして敷設することもできる。
【図面の簡単な説明】
【００３０】
【図１】本発明の屋根改修用金具を示し、（ａ）（ｂ）は斜視図、（ｃ）は下面図である。
【図２】本発明における既存屋根を示す斜視図である。
【図３】本発明の屋根改修用金具を取り付けた状態を示す斜視図である。
【図４】本発明の屋根改修用金具を取り付けた状態を示し、（ａ）（ｂ）は斜視図である。
【図５】本発明の屋根改修用金具と足場板を取り付けた状態を示す斜視図である。
【図６】本発明の施工途中を示す斜視図である。
【図７】本発明の改修構造を示す一部を省略した斜視図である。
【図８】本発明の改修構造を示す一部を省略した斜視図である。
【図９】本発明の改修構造を示す一部の断面図である。
【図１０】本発明の改修構造を示す一部の断面図である。
【符号の説明】
【００３１】
Ａ  屋根改修用金具
１  既存屋根
２  波状スレート板
３  新規屋根材
４  凸条
５  載置部
６  凹溝
７  脚部
８  足場板
９  連結片
１０  母屋材
【図１】
2008127760.tif 000003
【図２】
2008127760.tif 000004
【図３】
2008127760.tif 000005
【図４】
2008127760.tif 000006
【図５】
2008127760.tif 000007
【図６】
2008127760.tif 000008
【図７】
2008127760.tif 000009
【図８】
2008127760.tif 000010
【図９】
2008127760.tif 000011
【図１０】
2008127760.tif 000012